(57)【要約】【課題】頭髪の生え際付近における疑似毛髪材の付着ムラを防止し、自然な増毛感が得られる疑似毛髪材噴射用保護カバーを提供する。【解決手段】疑似毛髪材噴射用保護カバー１は、粉末状又は繊維状の疑似毛髪材をスプレー３又はカラースプレー等により頭部４に噴射して疑似毛髪材を頭髪に付着させる際に、使用者の顔面５を覆うために使用される。疑似毛髪材噴射用保護カバー１は、板状をなし中央から側部へと湾曲して設けられた基部１０に、基部１０の上縁に沿って基部から上方に突出する複数個の突起１１ａからなる生え際被覆部１１が設けられており、使用者の頭髪の生え際４１にあてがわれる。基部１０の後面には、緩衝部１２が設けられており、基部１０と使用者の額との間に介在し、基部１０と使用者の頭部４との間には隙間が形成されている。基部１０の中央には、スプレー３等を視認するための観察窓１３が設けられている。【選択図】図１
2013085602.tif 000002
【特許請求の範囲】
【請求項１】
粉末状又は繊維状の疑似毛髪材をスプレーにより頭部に噴射して前記疑似毛髪材を頭髪に付着させる際に、使用者の顔面を覆うために使用される疑似毛髪材噴射用保護カバーにおいて、
板状をなし中央から側部へと湾曲して設けられた基部と、
この基部の上縁に沿って複数個設けられ前記基部から上方に突出する突起からなり前記使用者の頭髪の生え際にあてがわれる生え際被覆部と、
前記基部の後面に設けられ前記基部と前記使用者の額との間に介在する緩衝部と、
を有することを特徴とする疑似毛髪材噴射用保護カバー。
【請求項２】
前記基部に設けられ前記使用者が前記スプレーを視認するための開口と、
この開口を覆う透明膜と、
を有する観察窓が前記基部に設けられていることを特徴とする請求項１に記載の疑似毛髪材噴射用保護カバー。
【請求項３】
前記透明膜は、前記基部に脱着可能に設けられていることを特徴とする請求項２に記載の疑似毛髪材噴射用保護カバー。
【請求項４】
前記基部の下方には、前記使用者が把持する把持部が設けられていることを特徴とする請求項１乃至３のいずれか１項に記載の疑似毛髪材噴射用保護カバー。
【発明の詳細な説明】
【技術分野】
【０００１】
本発明は、粉末状又は繊維状の疑似毛髪材をスプレーにより頭部に噴射して疑似毛髪材を頭髪に付着させる際に、使用者の顔面を覆って前記疑似毛髪材が顔面に付着しないようにする疑似毛髪材噴射用保護カバーに関し、特に、頭髪の生え際付近における疑似毛髪材の付着ムラを防止し、自然な増毛感が得られる疑似毛髪材噴射用保護カバーに関する。
【背景技術】
【０００２】
従来、頭髪が薄くなった部分を隠すために、黒色又は着色された粉末状又は繊維状の疑似毛髪材をスプレーにより頭部に噴射し、噴射された疑似毛髪材を、展着剤又は静電気等により頭髪の周囲に付着させて増毛感を付与する増毛スプレーが使用されている（例えば、特許文献１及び２）。増毛スプレーを使用する際には、使用者は、例えばスプレーの噴射口を頭部から１５ｃｍ程度離し、感覚に頼るか又は鏡等により確認しながら、頭髪が薄くなった部分に疑似毛髪材を噴射する。
【０００３】
この際、頭髪の生え際付近においては、例えば頭皮又は額に疑似毛髪材が付着して付着ムラが生じやすく、自然な増毛感が得にくいという問題点がある。また、前頭部の生え際付近においては、使用者が例えば鏡等により視認しながら疑似毛髪材の噴射量を調節することにより、付着ムラをある程度抑制することができるが、頭部の視認しにくい部分、例えば側頭部の生え際付近においては、疑似毛髪材がどの程度頭髪に付着しているかを使用者が確認することが難しい。よって、使用者は、例えば側頭部等の視認しにくい部分の生え際に疑似毛髪材の付着ムラが生じることを嫌い、この部分に十分な量の疑似毛髪材を噴射できず、これにより、頭髪が薄くなった部分を隠せない等の問題点もある。
【０００４】
頭髪用のケア用品の額又は顔面への付着を防止する技術として、例えば特許文献３及び４には、顔面保護用のフェイスカバーが提案されている。図６（ａ）に示すように、特許文献３に開示されたフェイスカバー６は、染髪時に使用されるものであり、弾性を有し長手方向に沿って湾曲して設けられた長片状のフレーム６０の表面に、透明フィルムを両面テープにより貼着したものである。そして、使用時には、両面テープにより、フレーム６０の裏面が頭髪の生え際に沿って額に貼り付けられ、これにより、液体の染料が額に付着することを防止している。
【０００５】
特許文献４に開示されたフェイスカバーは、使用者の顔面を覆う透明プラスチックのカバーの両側部に、頭部への固定を目的としてプラスチック製のバンドを設け、これにより、使用者自らが染髪作業を行うことを容易にしている。そして、この特許文献４においても、フェイスカバーの上部に軟質プラスチック製のカバーを設けており、これを頭髪の生え際に沿って額に密着させることにより、液体の染料が額に付着することを防止している。
【先行技術文献】
【特許文献】
【０００６】
【特許文献１】特開２００５−７５７４５号公報
【特許文献２】特開２００９−７３８２７号公報
【特許文献３】特開２００２−１７４４６号公報
【特許文献４】特開２００８−１３２２８５号公報
【発明の概要】
【発明が解決しようとする課題】
【０００７】
しかしながら、特許文献３及び４に開示されたフェイスカバーは、いずれも、液体の染料により頭髪を染髪する際に、染料が垂れて額に付着することを防止したものであり、スプレーにより粉末状又は繊維状の疑似毛髪材を頭髪に付着させる場合には適しないものである。仮に、図６（ａ）に示すように、疑似毛髪材をスプレーする際に特許文献３及び４のフェイスカバー６を使用した場合には、フレーム又は上部カバー６０は、額に密着していると共に、その上縁が直線状に設けられているため、図６（ｂ）に示すように、疑似毛髪材が頭髪の生え際に沿って直線状に付着し、不自然な仕上がりになってしまう。また、特許文献３及び４のフェイスカバーは、フレーム又は上部カバーが頭髪の生え際に沿って額に密着して配置されるため、額に付着した疑似毛髪材の輪郭が明瞭となり、仕上がりの不自然さが際だってしまう。
【０００８】
本発明はかかる問題点に鑑みてなされたものであって、頭髪の生え際付近における疑似毛髪材の付着ムラを防止し、自然な増毛感が得られる疑似毛髪材噴射用保護カバーを提供することを目的とする。
【課題を解決するための手段】
【０００９】
本発明に係る疑似毛髪材噴射用保護カバーは、粉末状又は繊維状の疑似毛髪材をスプレーにより頭部に噴射して前記疑似毛髪材を頭髪に付着させる際に、使用者の顔面を覆うために使用される疑似毛髪材噴射用保護カバーにおいて、板状をなし中央から側部へと湾曲して設けられた基部と、この基部の上縁に沿って複数個設けられ前記基部から上方に突出する突起からなり前記使用者の頭髪の生え際にあてがわれる生え際被覆部と、前記基部の後面に設けられ前記基部と前記使用者の額との間に介在する緩衝部と、を有することを特徴とする。
【００１０】
本発明に係る疑似毛髪材噴射用保護カバーは、例えば前記基部に設けられ前記使用者が前記スプレーを視認するための開口と、この開口を覆う透明膜と、を有する観察窓が前記基部に設けられている。この場合に、前記透明膜は、前記基部に脱着可能に設けられていることが好ましい。
【００１１】
また、本発明に係る疑似毛髪材噴射用保護カバーにおいて、例えば前記基部の下方には、前記使用者が把持する把持部が設けられている。
【発明の効果】
【００１２】
本発明の疑似毛髪材噴射用保護カバーは、基部の上縁に沿って設けられ基部から上方に突出する複数個の突起からなる生え際被覆部が設けられており、使用者の頭髪の生え際にあてがわれるため、スプレーにより噴射される疑似毛髪材が頭髪の生え際に沿って付着することはなく、自然な増毛感が得られる。例えば、本発明においては、疑似毛髪材が付着される領域は、その縁が頭髪の生え際に沿って直線状になることはなく、自然な増毛感が得られる。よって、例えば側頭部等の視認しにくい部分の生え際においても、疑似毛髪材の付着ムラは生じないため、使用者は側頭部の生え際付近に十分な量の疑似毛髪材を噴射でき、頭髪が薄くなった部分を確実に隠すことができる。また、本発明の疑似毛髪材噴射用保護カバーは、基部の後面に緩衝部が設けられており、この緩衝部が基部と使用者の額との間に介在するため、生え際被覆部と使用者の頭部との間には隙間が生じる。よって、噴射された疑似毛髪材がこの隙間に流れ込み、分散されるため、頭皮に付着した疑似毛髪材の付着領域が前記突起を転写したものではなく、ぼけたものとなるので、自然な仕上がりが得られる。
【図面の簡単な説明】
【００１３】
【図１】（ａ）は、本発明の実施形態に係る疑似毛髪材噴射用保護カバーを示す斜視図、（ｂ）は、疑似毛髪材噴射用保護カバーの使用方法を示す図である。
【図２】（ａ），（ｂ）は、本発明の実施形態に係る疑似毛髪材噴射用保護カバーの使用方法を示す図である。
【図３】疑似毛髪材を噴射後の頭髪の生え際を示す一部拡大図であり、（ａ）は従来のフェイスカバーを使用した場合、（ｂ）は本実施形態の保護カバーを使用した場合を示す。
【図４】（ａ），（ｂ）は、生え際被覆部の変形例を示す図である。
【図５】本発明の第２実施形態に係る疑似毛髪材噴射用保護カバーを示す図である。
【図６】（ａ），（ｂ）は、疑似毛髪材の噴射の際に従来の染髪用フェイスカバーを使用した場合を示す図である。
【発明を実施するための形態】
【００１４】
以下、本発明の実施形態に係る疑似毛髪材噴射用保護カバーについて、図面を参照して詳細に説明する。図１（ａ）は、本発明の実施形態に係る疑似毛髪材噴射用保護カバーを示す斜視図、図１（ｂ）は、疑似毛髪材噴射用保護カバーの使用方法を示す図である。図１に示すように、本実施形態に係る疑似毛髪材噴射用保護カバー１は、粉末状又は繊維状の疑似毛髪材２をスプレー３により頭部４に噴射して疑似毛髪材２を頭髪４０に付着させる際に、使用者の顔面５を覆って疑似毛髪材２が顔面５に付着しないようにするものである。図１（ａ）に示すように、本実施形態に係る疑似毛髪材噴射用保護カバー１は、板状をなし中央から側部へと湾曲して設けられた基部１０、基部１０の上縁に沿って複数個設けられ基部１０から上方に突出する突起１１ａからなる生え際被覆部１１、及び基部１０の後面に設けられた緩衝部１２により構成されており、図１（ｂ）に示すように、生え際被覆部１１は使用者の頭髪４０の生え際４１にあてがわれる。
【００１５】
本実施形態の疑似毛髪材噴射用保護カバー１においては、基部１０及び生え際被覆部１１が１枚の薄板状の材料から一体的に成形されており、例えばステンレス等の金属板又は紙等からなる。基部１０は、例えば幅が２５０ｍｍ、高さが１５０ｍｍであり、例えば使用者の顔面５の形状に沿って、その中央から側部へと湾曲して設けられている。基部１０及び生え際被覆部１１が例えば弾力性を有する材質により構成されている場合においては、この基部１０の湾曲は、使用者の顔面５の形状に応じて調節可能である。基部１０の上縁は、保護カバー１の使用時に使用者の頭部４と干渉しないように、例えば後述する生え際被覆部１１が設けられている部分を除いて、その側縁へと繋がる滑らかな円弧状に設けられている。
【００１６】
本実施形態においては、基部１０が金属板又は紙等により構成されているため、保護カバー１の使用時に、基部１０の裏面側からスプレー３等を視認できない。よって、基部１０の中央が例えば矩形に切り抜かれて開口が形成されており、この開口が、例えば透明の樹脂からなり柔軟性を有するフィルムにより覆われて観察窓１３が設けられている。又は、観察窓１３は、基部１０の矩形の開口に例えばポリプロピレン又はポリ塩化ビニル等の透明の樹脂からなる薄板状の部材が嵌めこまれたものである。基部１０の弾力性を考慮すると、観察窓１３は、フィルムが被覆されたものであることが好ましい。この観察窓１３を構成する透明の樹脂材又はフィルムは、基部１０に脱着可能に設けられていることが好ましい。即ち、スプレー３からの噴射により疑似毛髪材２が観察窓１３に付着した場合には、スプレー３等の視認性が低下してしまうため、観察窓１３を構成する透明の樹脂材又はフィルムを基部１０から離脱させ、新しいものに取り替えるか、又は洗浄後、再度基部１０に取り付けることにより、観察窓１３を介する視界を良好に維持できる。なお、基部１０がポリプロピレン、ポリ塩化ビニル又は透明ウレタン等の透明の樹脂からなる場合においては、観察窓１３を設けなくてもよい。
【００１７】
基部１０の上方に形成された生え際被覆部１１は、基部１０から上方に突出して設けられた複数個の突起１１ａにより構成されており、例えば基部１０の上部の１００ｍｍの区間に４ｍｍピッチで２０本の突起１１ａが設けられ、両端部の突起は、その側縁が、円弧状の基部１０の上縁と繋がる傾斜が緩やかな直線をなしている。各突起１１ａの高さは例えば１０ｍｍである。各突起１１ａは、使用者の頭髪４０の生え際４１にあてがわれ、頭髪４０間に挿入され、疑似毛髪材２の噴射の際に、生え際４１を覆う。よって、疑似毛髪材２が付着される領域の縁が生え際４１に沿って直線状になることはなく、自然な増毛感を得ることができる。自然な増毛感を得るためには、生え際被覆部１１の突起１１ａは、例えば４乃至１０ｍｍのピッチで１０乃至２０個程度、５乃至１５ｍｍ程度（特に１０ｍｍ）の高さで設けられていることが好ましい。本実施形態においては、突起１１ａは、例えば生え際４１付近の頭髪４０間への挿入が容易になるように、図１に示すように、先端が鋭利に設けられている。
【００１８】
緩衝部１２は、例えばシリコン、ポリプロピレン、ポリ塩化ビニル、透明ウレタン、軟質ウレタン又はクロロプレンゴム等からなり、使用者の頭皮に接触した際に、柔らかい接触感が得られる材質からなることが好ましい。緩衝部１２は、基部１０の後面に例えば両面テープ又は接着剤等により接着されており、幅が例えば５乃至３０ｍｍ程度（特に１０ｍｍ）、厚さが例えば２乃至５ｍｍ程度（特に３ｍｍ）であり、例えば１００ｍｍ以上（特に１５０ｍｍ）の長さで設けられている。緩衝部１２は、基部１０と生え際被覆部１１との境界から基部１０の上縁に沿って延びるように設けられていることが好ましく、疑似毛髪材２を噴射する際に、基部１０と使用者の顔面５との間の空間に上方から疑似毛髪材２が侵入することを防止できる。この緩衝部１２は、疑似毛髪材噴射用保護カバー１の使用時に、生え際被覆部１１が頭髪４０の生え際４１にあてがわれると、基部１０と使用者の額との間に介在する。よって、図１（ｂ）に示すように、生え際被覆部１１と使用者の頭部との間には隙間が生じ、噴射された疑似毛髪材２はこの隙間に流れ込み、分散される。従って、頭皮に付着した疑似毛髪材２の付着領域が突起１１ａを転写したものではなく、ぼけたものとなるため、自然な増毛感が得られる。
【００１９】
次に、本実施形態に係る疑似毛髪材噴射用保護カバーの動作について、その使用方法と共に説明する。図２（ａ），（ｂ）は、本発明の実施形態に係る疑似毛髪材噴射用保護カバーの使用方法を示す図である。疑似毛髪材噴射用保護カバー１を使用する場合においては、使用者は、例えば基部１０の下端部を左手で持ち、図２（ａ）に示すように、基部１０の全面で顔面５を覆いながら、生え際被覆部１１の各突起１１ａを生え際４１付近の頭髪４０間に挿入し、生え際４１を複数個の突起１１ａにより覆う。このとき、基部１０の裏面に設けられた緩衝部１２が使用者の額に接触する。よって、生え際被覆部１１の各突起１１ａと使用者の頭部との間には隙間が生じる。よって、突起１１ａが使用者の頭皮に接触する頻度が少なく、また、突起１１ａが使用者の頭皮に接触した場合においても、保護カバー１を若干傾けるだけで突起１１ａと使用者の頭部との間には隙間が生じるので、突起１１ａの接触感を和らげることができる。
【００２０】
次に、使用者は、疑似毛髪材２が充填されたスプレー３を例えば右手に持ち、観察窓１３を介してスプレー３を視認し、頭部から１５ｃｍ程度離れた位置からスプレー３により粉末状又は繊維状の疑似毛髪材２を噴射する。疑似毛髪材２の噴射においては、スプレー３の噴射ボタンを無意識に押して疑似毛髪材２を力任せに噴射するのではなく、例えば観察窓１３を介して鏡等により疑似毛髪材２の付着具合を確認しながら、噴射ボタンを押す力を加減することが好ましい。疑似毛髪材２の噴射の際、使用者の顔面５は、基部１０により覆われているため、噴射された疑似毛髪材２が顔面５に付着することはない。スプレー３から噴射された疑似毛髪材２は、展着剤又は静電気等により頭髪の周囲に付着していく。このとき、頭髪の生え際４１付近の頭髪間には、保護カバー１の上部に設けられた生え際被覆部１１の複数個の突起１１ａが挿入されているため、図３（ａ）に示すように、疑似毛髪材２が付着する領域２ａは、その縁が頭髪４０の生え際４１に沿って直線状にはならず、自然な増毛感が得られる。また、基部１０の後面に設けられた緩衝部１２により、生え際被覆部１１の各突起１１ａと使用者の頭部４との間には隙間が生じているので、噴射された疑似毛髪材２がこの隙間に流れ込み、分散されることにより、頭皮に付着した疑似毛髪材２の付着領域は、突起１１ａを転写したものではなく、ぼけたものとなるので、自然な仕上がりが得られる。
【００２１】
これに対して、従来の液体の染料を使用した染髪の際に使用されるフェイスカバーを疑似毛髪材の付着防止用に使用した場合においては、上縁が直線状に設けられたフェイスカバーのフレーム等が頭髪４０の生え際４１に沿って額に密着されるため、図３（ｂ）に示すように、疑似毛髪材２の付着領域２ａは、その縁が頭髪４０の生え際４１に沿って直線状になる。よって、額に疑似毛髪材２が付着していることが明瞭に識別される程度に、仕上がりの不自然さが際だってしまう。
【００２２】
なお、疑似毛髪材２を頭頂部付近の頭髪に付着させる際には、スプレー３の噴射口を下方に向け、疑似毛髪材２の粉末又は繊維を下方へと噴射するが、この場合においては、例えば生え際付近の頭髪に突起１１ａを挿入した状態で、保護カバー１の下端を上方に傾斜させる。即ち、保護カバー１の下端を傾斜させることにより、突起１１ａと使用者の頭部４との間の隙間が小さくなり、頭髪の生え際４１付近に疑似毛髪材２が余分に付着することを防止でき、また、疑似毛髪材２の顔面への付着も防止できる。
【００２３】
以上のように、本発明によれば、疑似毛髪材の付着ムラが生じやすい頭髪の生え際付近において、自然な増毛感が得られ、疑似毛髪材の付着ムラも生じない。よって、例えば頭部の視認しにくい部分、例えば側頭部の生え際付近に疑似毛髪材を噴射する場合においても、側頭部の頭髪の生え際に生え際被覆部１１をあてがい、保護カバー１で顔面を覆いながら疑似毛髪材２を噴射すれば、自然な増毛感が得られ、また、十分な量の疑似毛髪材２を頭髪に付着させることができるため、頭髪が薄くなった部分を確実に隠すことができる。
【００２４】
なお、本実施形態においては、生え際被覆部１１の複数個の突起１１ａは、図４（ａ）に示すように、先端が鋭利に設けられているが、図４（ｂ）に示すように、生え際被覆部１１は、先端に丸みを設けた複数個の突起１１ｂにより構成されていてもよく、また、図４（ｃ）に示すように、半楕円又は半円弧状の複数個の突起１１ｃにより生え際被覆部１１が構成されていてもよい。これにより、例えば突起１１ｂ，１１ｃが頭皮に接触した場合の接触感を和らげることができる。
【００２５】
次に、本発明の第２実施形態に係る疑似毛髪材噴射用保護カバーについて説明する。図５は、本発明の第２実施形態に係る疑似毛髪材噴射用保護カバーを示す図である。図５に示すように、この疑似毛髪材噴射用保護カバー１００は、第１実施形態に係る疑似毛髪材噴射用保護カバー１において、基部１０の下部に使用者が把持するための取っ手１４を設けたものである。この疑似毛髪材噴射用保護カバー１００においても、第１実施形態と同様に、特に頭髪の生え際付近において、自然な増毛感を得ることができる。本実施形態においては、更に、取っ手１４が設けられていることにより、疑似毛髪材２の噴射時に、使用者の手に疑似毛髪材２が付着することを防止することができる。
【００２６】
なお、本実施形態においても、第１実施形態と同様の種々の変形を適用することができる。
【符号の説明】
【００２７】
１，１００：（疑似毛髪材噴射用）保護カバー、１０：基部、１１：生え際被覆部、１１ａ：突起、１２：緩衝部、１３：観察窓、１４：取っ手、２：疑似毛髪材、３：スプレー、４：頭部、４０：頭髪、４１：生え際、５：顔面、
【図１】
2013085602.tif 000003
【図２】
2013085602.tif 000004
【図３】
2013085602.tif 000005
【図４】
2013085602.tif 000006
【図５】
2013085602.tif 000007
【図６】
2013085602.tif 000008